(57)【要約】【課題】  戸外を移動中に、容易かつ効率的に携帯電話やパソコンなどの携帯電気機器の蓄電池を充電できる発電装置を備えたキャリアバッグを提供する。【解決手段】  引き手２を引いて移動させるキャリアバッグ１等の車輪３に連結し、または、別個の小車輪９が付いた発電装置５をキャリアバッグ１にあとから取り付けて、直接または増速機７を介して発電機６を駆動して発電し、携帯電気機器の蓄電池を充電する【特許請求の範囲】
【請求項１】
１個又は複数個の小車輪と、それにより直接駆動される発電機から成る発電装置。
【請求項２】
１個又は複数個の小車輪と、それにより駆動される増速ギヤと、そのギヤに連結し増速駆動される発電機から成る発電装置。
【請求項３】
請求項１の発電装置を固定する台座１と、複数個のバネにより台座１に反発して取り付けられる台座２から成る発電装置の取り付け構造。
【請求項４】
請求項２の台座１および台座２の組み立て体を位置決めのためにスライド自由に取り付けることのできる固定具であり、その断面はL字型に形成され、その両端は台座２が上下方向にスライド可能なように溝が形成され、キャスター付きキャリアーなどの底部と背面部の角部に固定できる発電装置の固定具。
【請求項５】
台座２を高さ方向の適当な位置に位置決めし、固定するための装置であり、請求項３の固定具の両端には、前記台座２が上下方向にスライドできる溝が設けられ、台座２の両端がその溝をガイドにして外れることなく上下に移動可能になっている。それら双方のガイド溝の一部分には台座２を適当な位置に固定できるように別に設けられた固定ピンが勘合、ロックできるように適当間隔にロック穴が設けられた位置決め固定装置。
【発明の詳細な説明】
【技術分野】
【０００１】
本発明は、汎用の発電装置に係り、特に引き手を付属したキャスター付きキャリア、またはキャリアバッグに組み込み、または取り付けて使用するものであり、引き手を引いてキャスターを転動させつつ移動するときに同時に発電機を回転させて発電させる発電装置に関するものである。
【背景技術】
【０００２】
近年蓄電池を搭載した電気機器が小型化して持ち運びに便利になってきているが、出先においての蓄電池の消耗に対する充電は専用の充電器を必要としたり、代わりの電池を接続したりしなければならない。
【０００３】
そこで最近時はショルダーバッグに貼り付けた太陽電池パネルから充電したり、携帯用の手回し式発電機などによる充電が実用化されている。（例えば、特許文献１および特許文献２参照）
【０００４】
【特許文献１】特開平１１−２９９５２８
【特許文献２】特開平１１−３４１７０１
【発明の開示】
【発明が解決しようとする課題】
【０００５】
しかしながら、実用化されている携帯電気機器の蓄電池の充電のための発電装置は、太陽光発電装置であったり、手回し式の発電装置であったりして、蓄電池駆動式の携帯電気機器の蓄電池を完全に充電するには充分といえるほどのものではないことが多い。
【０００６】
また、携帯電気機器の蓄電池を完全に充電しようとする場合には、比較的重量の重い専用の充電器を常に持ち歩く必要がある。
【０００７】
さらに、専用の充電器が無い場合は、別に接続する電池が必要となる。
【０００８】
そこで、専用の充電器を必要とせず、また別な電池も必要としないで効率よく携帯電気機器の蓄電池の充電ができる発電装置が求められている。
【０００９】
一方、近年は戸外を移動するにあたり、キャスターと引き手の取り付けられたバッグが普及してきており、比較的重量の重い携帯電気機器はこれに入れて持ち運ぶケースが増加している。
【００１０】
本発明はこの点に鑑みてなされたものであり、戸外をキャスターの取り付けられたバッグの引き手を引いて移動する際に、効率よく携帯電気機器の蓄電池を充電できる発電装置を提供することを目的とする。
【課題を解決するための手段】
【００１１】
前述した目的を達成するため、特許請求の範囲の請求項１に記載の本発明の発電装置の特徴は、前述したキャスター付きのキャリアバッグ等に取り付け、またはキャリアバッグ本体にあらかじめ組み込まれて構成、使用されるものであって、戸外の道路、鉄道の駅構内、空港のターミナル等で移動中は本発明の発電装置の小車輪が地面に常に接触しているため常時発電機は直接または増速ギヤを介して効率よく回転し、発電作用をなす。効率よく発電された電気は、キャリアバッグの中に収納されて運搬中の携帯電気機器に配線を介して供給され、それら携帯電気機器の蓄電池を効率よく充電することができる。
【００１２】
また、請求項２に記載の本発明の発電装置を取り付ける台座の特徴は、台座１と台座２から成り、双方の台座の間には複数個のバネが設置されて、キャリアバッグを引いて移動する際に、路面の凹凸や、キャリアバッグの引き手の傾きなどに対して本発明の発電装置を駆動するための小車輪が路面から離れて空回りすることを防止できる構成となっている。
【００１３】
また、請求項３に記載の固定具は、発電装置と台座１、台座２の組み立て体全体をキャリアバッグ本体に取り付けるためのものであり、その特徴は、発電装置、台座１、および台座２の組み立て体全体を保持するとともに、その両端に設けられた溝に台座２の両端が勘合し、キャリアバッグの引き手の方向にスライド可能に構成され、およその形状が箱型のキャリアバッグであればどのようなタイプのキャリアバッグにも取り付け可能であることを特徴とする。
【００１４】
また、請求項４に記載の位置決め固定装置は、種々のキャリアバッグのキャスターからバッグ本体までの間隔がまちまちであるため、この間隔に対して発電装置本体の小車輪が正しく路面に接して、キャリアバッグを引いて移動する際に前記小車輪が正しく回転できる位置に固定することができる。
【発明の効果】
【００１５】
本発明の発電装置によれば、キャリアバッグを引いて移動する際には必ず発電装置が回転することになり、これにより携帯電話、パソコンなどの携帯電気機器の蓄電池が効率よく充電でき、余分な機器の持ち歩きや別個の電池が不要になるなどの優れた効果を奏する。
【発明を実施するための最良の形態】
【００１６】
以下、本発明を図面に示す実施形態により説明する。
【００１７】
図１、図２および図３は、本発明に係る発電装置の第１実施形態を示す概略構成図である。
【００１８】
本実施形態の発電装置は、あらかじめキャリアバッグに組み込まれた形の、いわゆる発電装置付きキャリアバッグを例示している。
【００１９】
図２に示すように、本実施形態の発電装置５は、キャリアバッグ本来の片側のキャスター３に接続された駆動軸８により増速機７を介して発電機６を回転させて発電するように構成されている。なお、駆動軸は複数個あるキャスターのどれに接続されていてもよい。また、発電機の発電能力により増速機を省略することもできる。
【００２０】
図４および図５は、本発明に係る発電装置の第２実施形態の外観を示す。
【００２１】
本実施形態の発電装置は、すでに市販されているキャリアバッグの外部に外付けアドオン方式にて取り付けて使用する発電装置を例示している。
【００２２】
図４および図５において、発電装置５は化粧カバー４で覆われており、断面がL字型の取り付け具１８によりキャリアバッグ１の背面と底面にまたがって取り付けられる。
【００２３】
図６、図７および図8は、前記発電装置５の化粧カバー４を外した状態の、平面図、側面図および正面図のそれぞれを示す。
【００２４】
本実施形態の発電装置５は、キャリアバッグ本来のキャスター３とは別に、発電機６を、増速機７を介して駆動するために、図示しない駆動軸には小車輪９が備えられている。
【００２５】
前記の発電機６は、台座A １０に固定され、台座A１０は、複数個のバネ１３を介して台座B１１にフローティング支持されている。なお、台座A１０と台座B１１とは、相対的に上下方向に動ける構造となっているが、ストロークの限界を規制するために図示しないストッパーが備えられている。
【００２６】
また、図７において、本発明の発電装置５は、ガイドプレート１２と、取り付け具１８によりキャリアバッグ１に取り付けられるが、キャリアバッグ１を、引き手２を引いて移動する際に、引く人の身長等の違いによりキャリアバッグ１の傾斜の度合いが違う場合がある。このとき前記のフローティング用バネ１３のストロークのみではキャリアバッグ１の傾斜に対してキャリアバッグ１の本来のキャスター３と、発電機６を増速機７を介して駆動するための小車輪９とが同時に路面に接して正しく回転することができない場合がある。この不都合を解決するため、キャリアバッグ１の引き手２を引く人の身長等にあらかじめ合わせることができるように、ガイドプレート１２の両端部J字型に構成されたガイド溝１２aに勘合して取り付けられた発電装置５の台座B１１は、ガイド溝１２aに沿ってキャリアバッグ１の上下方向（引き手の方向）にスライド可能に構成されている。
【００２７】
すなわち、図８および図９において、台座B１１の穴部１５aに設置されたつまみ１５を回転させることにより、固定ピン１６は、ガイドプレート１２の両端部に設けられた固定穴１２bから外れて、台座B１１は、ガイドプレート１２のガイド溝１２aに沿って上下方向（引き手の方向）に移動可能となり、発電装置５を適切な位置にセット可能になる。このことにより発電装置５の小車輪９は、キャリアバッグ１の傾き、すなわち、引き手２を引く人の身長等に関係なく、適切に路面に接触して回転することができる。なお図９は、図６のA-A断面部矢視図である。
【００２８】
なお、本発明は、前述した各実施形態に限定されるものではなく、キャスターの付いたほとんどすべてのキャリアバッグに応用できる。
【図面の簡単な説明】
【００２９】
【図１】本発明に係る発電装置を組み込んだキャリアバッグの第一実施例の平面図
【図２】本発明に係る発電装置を組み込んだキャリアバッグの第一実施例の正面図
【図３】本発明に係る発電装置を組み込んだキャリアバッグの第一実施例の側面図
【図４】本発明に係る発電装置を後つけで取り付けたキャリアバッグの第二実施例の外観平面図
【図５】本発明に係る発電装置を後つけで取り付けたキャリアバッグの第二実施例の外観側面図
【図６】図４の、化粧カバーを外した状態の、本発明に係る発電装置の要部を示した平面図
【図７】図５の、化粧カバーを外した状態の、本発明に係る発電装置の要部を示した側面図
【図８】本発明に係る発電装置の要部を示した正面図
【図９】本発明に係る発電装置の、作動位置調整のためのロック機構を示す断面図
【図１０】図８の拡大図、および断面図
【符号の説明】
【００３０】
１  キャリアバッグ本体
２  引き手
３  キャリアバッグのキャスター
４  後付けの発電装置用化粧カバー
５  発電装置
６  発電機
７  増速機
８  駆動軸
９  小車輪
１０  摺動台座
１１  固定台座
１２  ガイドプレート
１３  バネ
１５  つまみ
１５a  穴部
１６  固定ピン
１６a  摺動溝
１７  回転ピン
１８  取り付け具
【図１】
2010246310.tif 000002
【図２】
2010246310.tif 000003
【図３】
2010246310.tif 000004
【図４】
2010246310.tif 000005
【図５】
2010246310.tif 000006
【図６】
2010246310.tif 000007
【図７】
2010246310.tif 000008
【図８】
2010246310.tif 000009
【図９】
2010246310.tif 000010
【図１０】
2010246310.tif 000011
【手続補正書】
【提出日】平成22年5月10日(2010.5.10)
【手続補正１】
【補正対象書類名】明細書
【補正対象項目名】全文
【補正方法】変更
【補正の内容】
【発明の詳細な説明】
【技術分野】
【０００１】
本発明は、汎用の発電装置に係り、特に引き手を付属した車輪付きキャリア、またはキャリアバッグに組み込み、または取り付けて使用するものであり、引き手を引いて車輪を転動させつつ移動するときに同時に発電機を回転させて発電させる発電装置を備えたキャリアバッグに関するものである。
【背景技術】
【０００２】
近年蓄電池を搭載した電気機器が小型化して持ち運びに便利になってきているが、出先においての蓄電池の消耗に対する充電は専用の充電器を必要としたり、代わりの電池を接続したりしなければならない。
【０００３】
そこで最近時はショルダーバッグに貼り付けた太陽電池パネルから充電したり、携帯用の手回し式発電機などによる充電が実用化されている。（例えば、特許文献１および特許文献２参照）
【０００４】
【特許文献１】特開平１１−２９９５２８
【特許文献２】特開平１１−３４１７０１
【発明の開示】
【発明が解決しようとする課題】
【０００５】
しかしながら、実用化されている携帯電気機器の蓄電池の充電のための発電装置は、太陽光発電装置であったり、手回し式の発電装置であったりして、蓄電池駆動式の携帯電気機器の蓄電池を完全に充電するには充分といえるほどのものではないことが多い。
【０００６】
また、携帯電気機器の蓄電池を完全に充電しようとする場合には、比較的重量の重い専用の充電器を常に持ち歩く必要がある。
【０００７】
さらに、専用の充電器が無い場合は、別に接続する電池が必要となる。
【０００８】
そこで、専用の充電器を必要とせず、また別な電池も必要としないで効率よく携帯電気機器の充電ができる発電装置が求められている。
【０００９】
一方、近年は戸外を移動するにあたり、車輪と引き手の取り付けられたバッグが普及してきており、比較的重量の重い携帯電気機器はこれに入れて持ち運ぶケースが増加している。
【００１０】
本発明はこの点に鑑みてなされたものであり、戸外を車輪の取り付けられたバッグの引き手を引いて移動する際に、効率よく携帯電気機器の蓄電池を充電できる発電装置を備えたキャリアバッグを提供することを目的とする。
【課題を解決するための手段】
【００１１】
前述した目的を達成するため、特許請求の範囲の請求項１および請求項２に記載の本発明の特徴は、キャリアバッグ本体にあらかじめ組み込まれて構成、使用されるものであって、戸外の道路、鉄道の駅構内、空港のターミナル等で移動中は本発明の発電装置に連結された車輪が地面に常に接触しているため常時発電機は直接、または増速ギヤを介して効率よく回転し、発電作用をなす。効率よく発電された電気は、キャリアバッグの中に収納されて運搬中の携帯電気機器に配線を介して供給され、それら携帯電気機器の蓄電池を効率よく充電することができる。
【００１２】
また、請求項３、請求項４および請求項５に記載された発電装置は、車輪付きのキャリアバッグ等に取り付けて使用されるものである。
【００１３】
また、請求項３に記載の本発明の発電装置を取り付ける台座の特徴は、台座１と台座２から成り、双方の台座の間には複数個のバネが設置されて、キャリアバッグを引いて移動する際に、路面の凹凸や、キャリアバッグの引き手の傾きなどに対して本発明の発電装置を駆動するための小車輪が路面から離れて回転が停止することを防止できる構成となっている。
【００１４】
また、請求項４に記載の固定具は、発電装置と台座１、台座２の組み立て体全体をキャリアバッグ本体に取り付けるためのものであり、その特徴は、発電装置、台座１、および台座２の組み立て体全体を保持するとともに、その両端に設けられた溝に台座２の両端が勘合し、キャリアバッグの引き手の方向にスライド可能に構成され、およその形状が箱型のキャリアバッグであればどのようなタイプのキャリアバッグにも取り付け可能であることを特徴とする。
【００１５】
また、請求項５に記載の位置決め固定装置は、種々のキャリアバッグの車輪からバッグ本体までの間隔がまちまちであるため、この間隔に対して発電装置本体の小車輪が正しく路面に接して、キャリアバッグを引いて移動する際に前記小車輪が正しく回転できる位置に固定することができる。
【発明の効果】
【００１６】
本発明の発電装置によれば、キャリアバッグを引いて移動する際には必ず発電装置が回転することになり、これにより携帯電話、パソコンなどの携帯電気機器の蓄電池が効率よく充電でき、余分な機器の持ち歩きや別個の電池が不要になるなどの優れた効果を奏する。
【発明を実施するための最良の形態】
【００１７】
以下、本発明を図面に示す実施形態により説明する。
【００１８】
図１、図２および図３は、本発明に係る発電装置の第１実施形態を示す概略構成図である。
【００１９】
本実施形態の発電装置は、あらかじめキャリアバッグに組み込まれた形の、いわゆる発電装置付きキャリアバッグを例示している。
【００２０】
図２に示すように、本実施形態の発電装置５は、キャリアバッグ本来の片側の車輪３に接続された駆動軸８により増速機７を介して発電機６を回転させて発電するように構成されている。なお、駆動軸は複数個ある車輪のどれに接続されていてもよい。
【００２１】
図４および図５は、本発明に係る発電装置の第２実施形態の外観を示す。
【００２２】
本実施形態の発電装置は、すでに市販されているキャリアバッグの外部に外付けアドオン方式にて取り付けて使用する発電装置を例示している。
【００２３】
図４および図５において、発電装置５は化粧カバー４で覆われており、断面がL字型の取り付け具１８によりキャリアバッグ１の背面と底面にまたがって取り付けられる。
【００２４】
図６、図７および図8は、前記発電装置５の化粧カバー４を外した状態の、平面図、側面図および正面図のそれぞれを示す。
【００２５】
本実施形態の発電装置５は、キャリアバッグ本来の車輪３とは別に、発電機６を、増速機７を介して駆動するために、図示しない駆動軸には小車輪９が備えられている。
【００２６】
前記の発電機６は、台座A １０に固定され、台座A１０は、複数個のバネ１３を介して台座B１１にフローティング支持されている。なお、台座A１０と台座B１１とは、相対的に上下方向に動ける構造となっているが、ストロークの限界を規制するために図示しないストッパーが備えられている。
【００２７】
また、図７において、本発明の発電装置５は、ガイドプレート１２と、取り付け具１８によりキャリアバッグ１に取り付けられるが、キャリアバッグ１を、引き手２を引いて移動する際に、引く人の身長等の違いによりキャリアバッグ１の傾斜の度合いが違う場合がある。このとき前記のフローティング用バネ１３のストロークのみではキャリアバッグ１の傾斜に対してキャリアバッグ１の本来の車輪３と、発電機６を増速機７を介して駆動するための小車輪９とが同時に路面に接して正しく回転することができない場合がある。この不都合を解決するため、キャリアバッグ１の引き手２を引く人の身長等にあらかじめ合わせることができるように、ガイドプレート１２の両端部J字型に構成されたガイド溝１２aに勘合して取り付けられた発電装置５の台座B１１は、ガイド溝１２aに沿ってキャリアバッグ１の上下方向（引き手の方向）にスライド可能に構成されている。
【００２８】
すなわち、図８および図９において、台座B１１の穴部１５aに設置されたつまみ１５を回転させることにより、固定ピン１６は、ガイドプレート１２の両端部に設けられた固定穴１２bから外れて、台座B１１は、ガイドプレート１２のガイド溝１２aに沿って上下方向（引き手の方向）に移動可能となり、発電装置５を適切な位置にセット可能になる。このことにより発電装置５の小車輪９は、キャリアバッグ１の傾き、すなわち、引き手２を引く人の身長等に関係なく、適切に路面に接触して回転することができる。なお図９は、図６のA-A断面部矢視図である。
【００２９】
なお、本発明は、前述した各実施形態に限定されるものではなく、車輪の付いたほとんどすべてのキャリアバッグに応用できる。
【図面の簡単な説明】
【００３０】
【図１】本発明に係る発電装置を組み込んだキャリアバッグの第一実施例の平面図
【図２】本発明に係る発電装置を組み込んだキャリアバッグの第一実施例の正面図
【図３】本発明に係る発電装置を組み込んだキャリアバッグの第一実施例の側面図
【図４】本発明に係る発電装置を後つけで取り付けたキャリアバッグの第二実施例の外観平面図
【図５】本発明に係る発電装置を後つけで取り付けたキャリアバッグの第二実施例の外観側面図
【図６】図４の、化粧カバーを外した状態の、本発明に係る発電装置の要部を示した平面図
【図７】図５の、化粧カバーを外した状態の、本発明に係る発電装置の要部を示した側面図
【図８】本発明に係る発電装置の要部を示した正面図
【図９】本発明に係る発電装置の、作動位置調整のためのロック機構を示す断面図
【図１０】図８の拡大図、および断面図
【符号の説明】
【００３１】
１  キャリアバッグ本体
２  引き手
３  キャリアバッグの車輪
４  後付けの発電装置用化粧カバー
５  発電装置
６  発電機
７  増速機
８  駆動軸
９  小車輪
１０  摺動台座
１１  固定台座
１２  ガイドプレート
１３  バネ
１５  つまみ
１５a  穴部
１６  固定ピン
１６a  摺動溝
１７  回転ピン
１８  取り付け具
【手続補正２】
【補正対象書類名】特許請求の範囲
【補正対象項目名】全文
【補正方法】変更
【補正の内容】
【特許請求の範囲】
【請求項１】
１個または複数個の車輪と、それにより直接駆動される発電機から成る発電装置を備えたキャリアバッグ。
【請求項２】
１個または複数個の車輪と、それにより駆動される増速ギヤと、そのギヤに連結し増速駆動される発電機から成る発電装置を備えたキャリアバッグ。
【請求項３】
発電装置を固定する台座１と、複数個のバネにより台座１に反発して取り付けられる台座２から成る発電装置。
【請求項４】
台座１および台座２の組み立て体を位置決めのためにスライド自由に取り付けることのできる固定具であり、その断面はL字型に形成され、その両端は台座２が上下方向にスライド可能なように溝が形成され、車輪付きキャリアバッグなどの底部と背面部の角部に固定できる発電装置の固定具。
【請求項５】
台座２を高さ方向の適当な位置に位置決めし、固定するための装置であり、請求項３の固定具の両端には、前記台座２が上下方向にスライドできる溝が設けられ、台座２の両端がその溝をガイドにして外れることなく上下に移動可能になっており、それら双方のガイド溝の一部分には台座２を適当な位置に固定できるように別に設けられた固定ピンが勘合、ロックできるように適当間隔にロック穴が設けられた位置決め固定装置。